(57)【要約】【課題】ケーブルを引っ張ってもケーブル内のコードの線端末と端子との接続部に負荷がかかるのを防止できる。【解決手段】充電プラグ１５は、ケーブル３内に設けたコードの線端末がプラグ本体内に設置した電源用端子に接続している。充電プラグ１５のケーブル３とプラグ本体１６とは連結器具１８で一体に連結固定した。連結器具１８は固定部材１９をプラグ本体１６の軸筒部に固定し、締付部材２１でケーブル３と連結部２０を締付固定し、連結部２０で固定部材１９と締付部材２１を連結した。【選択図】図２
2011023133.tif 000002
【特許請求の範囲】
【請求項１】
ケーブル内に設けたコードの線端末がプラグ本体内に設置した端子に接続されてなる電気プラグにおいて、
ケーブルとプラグ本体とを連結して固定する連結器具が取り付けられてなることを特徴とする電気プラグ。
【請求項２】
連結器具は、プラグ本体に固定する固定部材と、固定部材からケーブルに重なって延びる連結部と、連結部をケーブルと共に締め付けて一体に固定する締付部材とを備えている請求項１に記載された電気プラグ。
【請求項３】
固定部材と締付部材は、それぞれ締結ボルトによって締め込み固定するようにした請求項２に記載された電気プラグ。
【発明の詳細な説明】
【技術分野】
【０００１】
本発明は、例えば油圧ショベル等の建設機械や運搬機械等において、電動モータ等でエンジンを駆動するためのバッテリや油圧ポンプ等の各種電動機器を駆動するためのバッテリ等に充電したり、各種電動機器に電気を供給したりするために用いる充電用や通電用等の電気プラグに関する。
【背景技術】
【０００２】
従来、例えば油圧ショベルやホイールローダやフォークリフト等の建設機械や運搬機械は、エンジンを駆動するための電動モータや油圧ポンプ等の各種電気駆動機器を駆動するためのバッテリが備えられている。例えば図６に示すホイールローダやフォークリフト等の機械本体１にはバッテリ２が内蔵されている。そして、外部電源に接続されたケーブル３の他端部に設けた充電プラグ４をバッテリ２の受電側コンセント５に接続して、充電を行うように構成されている。
ケーブル３は、図７及び図８に示すように、アースコード７ａとコード７ｂ〜７ｄが束ねられて被覆チューブ１１で被覆されている。
また、充電プラグ４は、充電プラグ４のプラグ本体８内に、ケーブル３の複数本（図では４本）のコード７ａ〜７ｄの線端末が電源側端子９ａ〜９ｄに接続されている（図８参照）。充電プラグ４にはアース用端子９ｅと９ａを接続したわたり線であるアースコード７ｅも設けられている。これら電源側端子９ａ〜９ｄ及びアース用端子９ｅはコード７ａ〜７ｅの線端末と共にプラスチック製のプラグ本体８内に収納されている。
【０００３】
このような充電プラグ４とバッテリ２を含む充電構造を備えた建設機械や運搬機械として、例えば特許文献１や２に記載されたものが提案されている。
ところで、充電プラグ４の取り扱いに関し、バッテリ２への充電が完了した場合、通常では、作業者が充電プラグ４のプラグ本体８を把持してバッテリ２に設けたコンセント５から引き抜くことになる。充電プラグ４の引き抜きに際し、正常な取り扱いのために、プラグ本体８の基部に把持部１０が両側に突出して設けられている。この把持部１０を指で把持して充電プラグ４を引き抜いたり差し込んだりすることが正常な取り扱い方法である。
【先行技術文献】
【特許文献】
【０００４】
【特許文献１】特開２０００−３４０９６８号公報
【特許文献２】特開２００９−８４８３８号公報
【発明の概要】
【発明が解決しようとする課題】
【０００５】
しかしながら、バッテリ２の充電が完了した後、作業者が充電プラグ４を受電側コンセント５から引き抜く際に、プラグ本体８を把持して引き抜く正常な取り扱いがなされず、作業者の近接位置にあって掴みやすいケーブル３を掴んで引っ張ることで、充電プラグ４をコンセント５から引き抜く行為が行われる。正常でないケーブル３の引き抜き方法によって、コード７ａ〜７ｄの線端末と電源側端子９ａ〜９ｄとの接続部に負荷がかかってしまい、これを繰り返して行うことで断線を生じるおそれがあった。
また、コード７ａ〜７ｄの線端末が電源側端子９ａ〜９ｄから分離することで互いに接触してショートするおそれが高いという不具合もあった。更に複数のコード７ａ〜７ｄによじれが生じていると線端末に及んでしまい（図８参照）、一層断線が発生し易くなる不具合があった。
【０００６】
本発明は、このような実情に鑑みて、ケーブルを引っ張る等して負荷がかかったとしてもケーブル内のコードの線端末と端子との接続部に負荷がかかるのを防止できるようにした電気プラグを提供することを目的とする。
【課題を解決するための手段】
【０００７】
本発明による電気プラグは、ケーブル内に設けたコードの線端末がプラグ本体内に設置した端子に接続されてなる電気プラグにおいて、ケーブルとプラグ本体とを連結して固定する連結器具が取り付けられてなることを特徴とする。
本発明によれば、電気プラグのケーブルを引っ張っても、連結器具によってケーブル及びプラグ本体が一体に固定されているから、ケーブルにかかる負荷はプラグ本体に伝達されてプラグ本体も一体に引っ張られるために、ケーブル内のコードの端子に接続された線端末に負荷が及ぶことを防止でき、またケーブルに捩れが発生しても連結器具でコードを固定しているから線端末に負荷は及ばず、コードの断線やショートを防止できる。
【０００８】
また、連結器具は、プラグ本体に固定する固定部材と、固定部材からケーブルに延びる連結部と、連結部をケーブルと共に締め付けて一体に固定する締付部材とを備えていることが好ましい。
連結器具を一体に形成してプラグ本体とケーブルを固定部材と締付部材でそれぞれ固定したから、ケーブルを引っ張ることでかかる負荷はプラグ本体にもかかるから、コードの線端末を保護できて断線したりショートしたりしない。また、ケーブルに捩れが生じても締付部材でケーブルを固定しているために、締付部材より先端側のコードの線端末に捩れの負荷は及ばない。
【０００９】
また、固定部材と締付部材は、それぞれ締結ボルトによって締め込み固定するようにしてもよく、プラグ本体やケーブルの外周寸法の変化に対応して締付固定できる。
【発明の効果】
【００１０】
本発明による電気プラグは、連結器具によってプラグ本体とケーブルを連結して固定するから、ケーブルを引っ張る等して負荷がかかっても連結器具を介してプラグ本体に負荷が伝達されて一体に引っ張り負荷がかかるため、ケーブルに収容されたコードの線端末と端子の接続部に負荷が及んで切断や分断等が生じることがない。しかも、プラグ本体近くのケーブル内のコードは連結器具によって固定されているから、ケーブルの取り扱いによってコードの線端末が捩れることを防止できる。そのため、コードの断線やショート等を確実に防止できる。
【図面の簡単な説明】
【００１１】
【図１】本発明の実施形態による充電プラグを機械本体に設けたバッテリのコンセントに差し込んだ充電状態を示す要部斜視図である。
【図２】図１に示す充電プラグの斜視図である。
【図３】充電プラグの平面図である。
【図４】充電プラグに取り付ける連結器具の斜視図である。
【図５】連結器具を示すもので、（ａ）は平面図、（ｂ）は正面図、（ｃ）は側面図である。
【図６】機械本体のバッテリに従来技術における充電プラグを取り付けた状態を示す要部斜視図である。
【図７】図６に示す充電プラグについてケーブルを一部破断して示す平面図である。
【図８】図７に示すプラグ本体を除いた充電プラグにおけるケーブルのコードの接続状態を示す平面図である。
【発明を実施するための形態】
【００１２】
以下、本発明の実施形態による充電プラグについて説明するが、上述した従来技術と同一または同様な部分、部材には同一の符号を用いて説明する。
図１に示すフォークリフトやホイールローダ等の機械本体１には、搭載した電動機器を電気駆動するための電源としてバッテリ２が機械本体１内部に組み込まれている（図６参照）。本実施形態では、バッテリ２は例えば運転席の前面に組み込まれている。そして、バッテリ２に設置された受電用コンセント５には、電気プラグとして本発明の実施形態による充電プラグ１５が差し込まれている。この充電プラグ１５はケーブル３を介して商用電源等の外部電源に接続されている。
図２及び図３に示す充電プラグ１５は、図８に示すように内部に配線用のコード７ｂ〜７ｄとアースコード７ａが束ねられて被覆チューブ１１で被覆されたケーブル３が接続されている。充電プラグ１５のプラグ本体１６内には電源側端子９ｂ〜９ｄとアース用端子９ａ、９ｅが固定されており、その基部には複数本のコード７ｂ〜７ｄとアースコード７ａ、７ｅの線端末がかしめ及びビス止め等でそれぞれ接続されている。これら電源側端子９ｂ〜９ｄとアース用端子９ａ、９ｅはコード７ｂ〜７ｄ及びアースコード７ａ、７ｅの線端末と共にプラスチック製のプラグ本体１６に内蔵されている。
【００１３】
充電プラグ１５のプラグ本体１６は、図３及び図８に示すように、電源側端子９ｂ〜９ｄとアース用端子９ａ、９ｅを内蔵していて基部側の両面に突出させた把持部１６ａ，１６ａを有する本体部１６ｂと、これら電源用端子９ｂ〜９ｄとアース用端子９ａに接続されたコード７ａ〜７ｄを被覆チューブ１１で被覆したケーブル３の先端部を挿入した軸筒部１６ｃと、軸筒部１６ｃの基部に拡径して形成された係止部１６ｄとを有している。
軸筒部１６ｃには保護筒１７が嵌挿され、保護筒１７内にケーブル３が挿入されている。
上述した構成は従来技術による充電プラグ４と同一構成である。
【００１４】
図２及び図３に示すように、本実施形態による充電プラグ１５はその外部に連結器具１８が固定されており、プラグ本体１６とケーブル３は連結器具１８によって一体に連結固定されている。
図４及び図５に示す連結器具１８はケーブル３の抜け・捩れの防止金具であり、プラグ本体１６の軸筒部１６ｃに嵌合させて固定する固定部材１９と、固定部材１９から延びてケーブル３に重なる一対の連結部２０、２０と、連結部２０、２０をケーブル３と共に巻き付けて締め付け固定する締付部材２１とを備えている。
【００１５】
固定部材１９は略リング状に形成されていてその一部を切り欠いた切り欠け部の両端に一対の板状のフランジ部１９ａ，１９ａが形成されており、これらフランジ部１９ａ，１９ａに穿孔された孔２２、２２に締結ボルト２３が螺合されている。締結ボルト２３を締め込むことでフランジ部１９ａ，１９ａを接近させて、固定部材１９をプラグ本体１６の軸筒部１６ｃに嵌合固定できる。各孔２２には雌ねじが形成されていてもよいし、挿通穴にして締結ボルト２３の頭部と反対側にナットを設けて締結ボルト２３を締め込むようにしてもよい。なお、締結ボルト２３を緩めることで、固定部材１９を拡径して締め込みを緩めることができる。
連結部２０は、例えば板状や棒状等に形成されていて、プラグ本体１６の軸筒部１６ｃとケーブル３の外形寸法の相違に応じてこれらに沿うように途中で屈曲または湾曲している。そして、固定部材１９とは反対側の端部が外側に湾曲されていて係止部とされ、ベルト状の締付部材２１が外れるのを防止している。
締付部材２１はいわゆるホースバンド構成であり、金属製の締結バンド２５をリング状に湾曲させて締付部２６に締結ボルト２７を有しており、締結ボルト２７を締め込むことで締結バンド２５を縮径して一対の連結部２０、２０を両側からケーブル３に圧着して連結固定できる。なお、締結ボルト２７を緩めることで、締結バンド２５を拡径して締付を緩めることができる。
【００１６】
本実施形態による充電プラグ１５は上述の構成を有しているから、機械本体１のバッテリ２に設けた受電用コンセント５に、連結器具１８を装着した充電プラグ１５を差し込んで外部電源から充電を行う。そして、充電完了後に充電プラグ１５を受電用コンセント５から引き抜く際、正常な取り扱いではプラグ本体１６を把持して引き抜く。しかし、作業者がプラグ本体１６ではなくケーブル３をもって引き抜くことがある。
この場合、ケーブル３とプラグ本体１６は連結器具１８によって一体に連結固定されているから、ケーブル３にかかる引き抜き負荷は連結器具１８の締付部材２１によって連結部２０を介して固定部材１９に伝達し、固定部材１９を介してプラグ本体１６に引き抜き負荷がかかる。そのため、ケーブル３に引き抜き負荷がかかったとしても連結器具１８を介してケーブル３とプラグ本体１６に一体に引き抜き負荷がかかり、プラグ本体１６が受電用コンセント５から引き抜かれる。
【００１７】
そのため、ケーブル３を把持して引き抜いても、ケーブル３とプラグ本体１６にほぼ均等に負荷がかかり、ケーブル３内のコード７ａ〜７ｄの線端末と電源用端子９ｂ〜９ｄ及びアース用端子９ａとの接続部に負荷がかからない。特に、プラグ本体１６内でコード７ａ〜７ｅを撓ませたり緩めた状態で電源用端子９ｂ〜９ｄ及びアース用端子９ａに接続させておけば、引き抜き負荷はこれら線端末に及ばない。
従って、ケーブル３内のコード７ａ〜７ｄの線端末が断線したりショートしたりすることを防止できる。
また、ケーブル３の取り扱いに際して、ケーブル３のプラグ本体１６近傍の位置を締付部材２１によって締付固定しているから、ケーブル３をよじったとしてもコード７ａ〜７ｄの締付部材２１から先端側や線端末に捩れは発生しない。そのため、この点からもコード７ａ〜７ｄの断線やショート等を防止できる。
【００１８】
上述のように本実施形態による充電プラグ１５によれば、連結器具１８によってケーブル３とプラグ本体１６を連結固定するようにしたから、充電プラグ１５の引き抜き時等にプラグ本体１６ではなくケーブル３を引っ張ったとしても、コード７ａ〜７ｄの線端末と電源用端子９ｂ〜９ｄ及びアース用端子９ａとの接続部に負荷が及んだりするのを確実に防止できる。しかも、連結器具１８の締付部材２１によってケーブル３の先端側のコード７ａ〜７ｄを締付固定しているから、ケーブル３を捩ったとしても線端末に捩れは発生しない。
そのため、引き抜き負荷や捩れによってコード７ａ〜７ｄの線端末が断線したりショートしたりするのを防止できて、充電プラグ１５の取り扱いの安全性を向上できて寿命を延ばすことができる。
【００１９】
なお、上述の実施形態では、フォークリフトやホイールローダ等の建設機械１の充電プラグ１５について説明したが、本発明はこのような実施形態に限定されるものではなく、その他の運搬機械や油圧ショベル等の建設機械等、各種の機械や装置等にも適用できる。また、本発明は、充電プラグだけでなく、電気の供給を受ける受電用のプラグにも適用できることはいうまでもない。
本明細書では、これら充電プラグ１５や他の充電プラグ、電気の供給を受ける受電用プラグ等を総称して電気プラグというものとする。
また、アースコード７ａ、７ｅやアース用端子９ａ、９ｅは設けなくてもよい。
【符号の説明】
【００２０】
１  機械本体
３  ケーブル
７ａ、７ｅ  アースコード
７ｂ、７ｃ、７ｄ  コード
９ａ，９ｅ  アース用端子
９ｂ、９ｃ、９ｄ  電源用端子
１５  充電プラグ
１６  プラグ本体
１８  連結器具
１９  固定部材
２０  連結部
２１  締付部材
２３、２７  締結ボルト
【図１】
2011023133.tif 000003
【図２】
2011023133.tif 000004
【図３】
2011023133.tif 000005
【図４】
2011023133.tif 000006
【図５】
2011023133.tif 000007
【図６】
2011023133.tif 000008
【図７】
2011023133.tif 000009
【図８】
2011023133.tif 000010